(57)【特許請求の範囲】
【請求項１】
両側縁部に軒樋の耳を保持する耳保持部を有する継手本体のほぼ中央部の内面幅方向に押さえ板が設けられて、この押さえ板と継手本体との間に両端方向から軒樋を挿入させることができる差込溝が形成された軒樋継手において、中央部が高く両端方向にゆくに従って次第に低くなされた傾斜面を有する断面ほぼ三角形のガイド板が前記押さえ板の表面に着脱自在に取り付けられていることを特徴とする軒樋継手。
【発明の詳細な説明】
【０００１】
【発明の属する技術分野】
本発明は軒樋継手に関する。
【０００２】
【従来の技術】
軒樋継手としては種々なものがあるが、実開昭６４−１９７３０号公報に記載ある軒樋継手が多く使用されている。この軒樋継手を図３を参照しながら説明すると、両側縁部に軒樋２００の耳２０２を保持する耳保持部１０２を有する継手本体１０１のほぼ中央部の内面幅方向に押さえ板１０５を設け、この押さえ板１０５と継手本体１０１との間に軒樋２００を挿入させることができる差込溝１１０を形成させたものである。
この軒樋継手１００は、図３に示すように、両端方向から軒樋２００の端部２０１を差込溝１１０の中に差し込み、軒樋２００の耳２０２を耳保持部１０２に係止させて使用する。
【０００３】
【発明が解決しようとする課題】
しかし、寄せ棟等の屋根を囲んだ軒先に軒樋を取り付ける際に、軒樋を上記軒樋継手で接続していると、最後に、両側から接近した軒樋と軒樋とを接続する必要がある。
又、通常の切り妻等の屋根の軒先に、軒樋を取り付ける際に、一人で軒樋を上記軒樋で取り付ける場合には、一方から順次接続しながら施工するから問題がないが、例えば、２人で両側から軒樋を取り付ける場合には、最後に、両側から接近した軒樋と軒樋とを接続する必要がある。
【０００４】
このように両側から接近した軒樋と軒樋とを上記軒樋継手で接続するときには、図４（イ）に示すように、この両側の軒樋２００の間に下側から軒樋継手１００を近づけ、図４（ロ）に示すように、軒樋２００を両側に移動させ、この間に軒樋継手１００の押さえ板１０５を入れて、両端方向から軒樋２００を差込部１１０の中に差し入れる必要があるが、この両側の軒樋２００を開くためには通常両手を使用する必要がある。しかし、両手で軒樋２００を開いていると、この間に軒樋継手１００を入れることが困難であるから、片手で無理して両側の軒樋２００を開いて別の手でこの開いた軒樋２００の間に軒樋継手１００を入れて施工しているが、この施工に苦労すると共に、この施工が軒先という高所で行うために危険であった。
そこで、本発明の目的は、両側から接近した軒樋と軒樋とを簡単に接続することができる軒樋継手を提供することである。
【０００５】
【課題を解決するための手段】
請求項１記載の本発明は、両側縁部に軒樋の耳を保持する耳保持部を有する継手本体のほぼ中央部の内面幅方向に押さえ板が設けられて、この押さえ板と継手本体との間に両端方向から軒樋を挿入させることができる差込溝が形成された軒樋継手において、中央部が高く両端方向にゆくに従って次第に低くなされた傾斜面を有する断面ほぼ三角形のガイド板が前記押さえ板の表面に着脱自在に取り付けられているものである。
【０００６】
請求項１記載の本発明ではガイド板が押さえ板の表面に着脱自在に取り付けられているが、このように取り付ける構造は種々ある。例えば、ガイド板の底板に粘着剤を設け、必要なときに接着するようにしてもよい。又、一方に凸部を設け、反対側に凹部を設けて、必要に応じてこの凸部を凹部の中に嵌合させるようにしてもよい。
又、このガイド板を１個取り付けてもよいし複数個取り付けてもよい。
【０００７】
（作用）
本発明の作用を、両側から接近している軒樋と軒樋とを接続する施工方法を説明しながら、説明する。
先ず、両側から接近している軒樋と軒樋との間にこの軒樋継手を近づける。
すると、ガイド板の表面に中央部が高く両端方向にゆくに従って次第に低くなされた傾斜面が形成されているから、傾斜部の中央部の高い部分が両側から接近している軒樋と軒樋との間に近づく。
その後、軒樋継手をこの両側から接近している軒樋と軒樋との間に強く入れると、軒樋の端部が傾斜面の傾斜に沿って拡げられて、両側から接近している軒樋と軒樋との間にガイド板が入り、軒樋の先端がガイド板の先端を越えると、拡げられていた傾斜面がなくなるから、軒樋の端部は押さえ板と継手本体との間の差込溝の中に入りながら両側から軒樋が近づく。
最後に軒樋の端部を十分差込溝の中に入れると軒樋が軒樋継手で接続できる。
【０００８】
このように、両側から接近している軒樋と軒樋との間に軒樋継手を押し入れるだけでよいから施工が極めて簡単である。しかも、本発明では、このガイド板が押さえ板の表面に着脱自在に取り付けられているから、施工が終了すると、このガイド板を取り外して次の施工のときに使用できる。又、軒樋を接続した後にこのガイド板を取り外すことにより、軒樋継手の内側にガイド板がなくなるので、この軒樋継手の中を雨水がスムースに流れる。
【０００９】
【発明の実施の形態】
次に、本発明の実施例を説明する。
図１および図２は本発明軒樋継手の一実施例を示すもので、図１（イ）は軒樋継手を使用して軒樋を接続している状態を示す斜視図、（ロ）は（イ）のＡ−Ａ線における断面図、図２（イ）は傾斜面に沿って軒樋が拡げられている状態の要部の断面を示す説明図、（ロ）は軒樋を接続した後ガイド板を取り除いた状態を示す説明図である。
【００１０】
図１および図２において、５は塩化ビニル樹脂等の合成樹脂で製造された軒樋であり、この軒樋５は溝形の軒樋本体５１と、この軒樋本体５１の両側縁部に設けられた耳５２、５２とからなる。
１は塩化ビニル樹脂等の合成樹脂で製造された軒樋継手であり、この軒樋継手１は両側縁部に軒樋５の耳５２を保持する耳保持部２１、２１を有する軒樋継手本体２と、この軒樋継手本体２のほぼ中央部の内面幅方向に押さえ板３が設けられていて、この押さえ板３と継手本体２とがほぼ軒樋５の厚みとほぼ等しい高さの接続部２３で接続されている。従って、この押さえ板３と継手本体２との間に軒樋５の端部を差し込むことができる差込溝４が形成されている。
又、押さえ板３の表面には３か所に接続部２３の中まで窪んでいる凹部３５が設けられている。
６は塩化ビニル樹脂等の合成樹脂で製造されたガイド板であり、このガイド板６は中央が高く両端方向にゆくに従って低くなされた傾斜面６１を有する断面ほぼ三角形をしている小片であり、底面６２には押さえ板３の表面の凹部３５に嵌合する凸部６５が設けられている。
【００１１】
次に、この軒樋継手を使用して両側から近接した軒樋を接続する方法について説明する。
軒樋継手１の押さえ板３の表面に設けられている凹部３５にガイド板６の凸部６５を嵌合して、押さえ板３にガイド板６を取り付ける。
一方、差込溝４の入口から中に接着剤を塗布する。
次に、図１に示すように、両側から接近した軒樋５、５の間に、下側から軒樋継手１を近づける。
すると、両側の軒樋５、５の間に、図２（イ）の点線で示すように、軒樋５の端部がガイド板６の傾斜面６１に到達する。
【００１２】
更に、この軒樋５の間に軒樋継手１を押し込む。
すると、軒樋５の端部はガイド板６の傾斜面６１に沿って移動し、図２（イ）の実線で示すように、両側から接近している軒樋５と軒樋５との間が開き、軒樋継手１が次第に両側の軒樋５、５の間に入ってゆく。
更に、両側の軒樋５、５の間に軒樋継手１を押し込むと、軒樋５の端部がガイド板６の先端を越す。
すると、軒樋５を押し拡げていたガイド板６がなくなるから、軒樋５の先端は差込溝４の中に入ってゆくと同時に、軒樋継手１の両側縁部の耳保持部２１、２１が軒樋５の両側縁部の耳５２、５２に嵌合し保持される。
次に、両側の軒樋５を近づけて軒樋５の端部を差込溝４の中に十分入れる。
【００１３】
最後に、このガイド板６を取り除く。
すると図２（ロ）に示すように軒樋５が軒樋継手で接続される。
このように、両側から密接している軒樋５の間に軒樋継手１を押し込むだけで簡単に軒樋５が接続できる。又、ガイド板６を取り除いているので、この軒樋継手１の中を雨水がスムースに流れる。
【００１４】
【発明の効果】
請求項１記載の発明では、ガイド板の表面に中央部が高く両端方向にゆくに従って次第に低くなされた傾斜面が形成されているから、両側から接近している軒樋と軒樋との間に軒樋継手を強く入れると、軒樋の端部が傾斜面の傾斜に沿って拡げられて、両側から接近している軒樋と軒樋との間にガイド板が入り、軒樋の先端がガイド板の先端を越えると、軒樋の端部が押さえ板と継手本体との間の差込溝の中に入りながら両側から軒樋が近づく。最後に軒樋の端部を差込溝の中に十分入れると軒樋が軒樋継手で接続できる。
このように、両側から密接している軒樋の間に軒樋継手を押し入れるだけでよいから施工が極めて簡単である。従って、高い軒先でも安全に施工でき便利である。
【００１５】
しかも、このガイド板が着脱自在に取り付けられているから、施工が終了すると、このガイド板を取り外して次の施工のときに使用できる。又、軒樋を接続した後にこのガイド板を取り外すことにより、軒樋継手の中にガイド板がなくなるので、この軒樋継手の中を雨水がスムースに流れるので便利である。
【図面の簡単な説明】
【図１】本発明軒樋継手の一実施例を示すもので、（イ）は軒樋継手を使用して軒樋を接続している状態を示す斜視図、（ロ）は（イ）のＡ−Ａ線における断面図である。
【図２】（イ）は傾斜面に沿って軒樋が拡げられている状態の断面を示す説明図、（ロ）は軒樋を接続した後ガイド板を取り除いた状態を示す説明図である。
【図３】従来の軒樋継手で軒樋を接続している状態を示す斜視図である。
【図４】（イ）従来の軒樋で両側から接近している軒樋と軒樋とを接続している状態を示す斜視図、（ロ）は両側の軒樋を拡げている状態を示す説明図である。
【符号の説明】
１                軒樋継手
２                継手本体
２１              耳保持部
３                押さえ板
４                差込溝
５                軒樋
５１              軒樋本体
５２              耳
６                ガイド板
６１              傾斜面
【図１】
0003609500.tif 000002
【図２】
0003609500.tif 000003
【図３】
0003609500.tif 000004
【図４】
0003609500.tif 000005